(57)【要約】      （修正有）【課題】線香を持ち運び可能に収容すると同時に、収容されている線香の線香立及び香皿としても機能する香立付線香収容箱を提供する。【解決手段】香立付線香収容箱１は、線香を収容する箱体２と、箱体の上側開口部に着脱自在に取り付けられる蓋体３と、線香と共に箱体に収容される香立部４と、を備え、箱体から取り外されて裏返された蓋体の裏面に香立部を載せて、香立部により線香を立てて保持し、線香を着火可能な状態にする。【選択図】図１
0003209898.tif 000002
【実用新案登録請求の範囲】
【請求項１】
線香を収容する箱体と、
前記箱体の上側開口部に着脱自在に取り付けられる蓋体と、
前記線香と共に前記箱体に収容される香立部と、を備え、
前記香立部は、前記線香の下端が差し込まれる孔が形成され、前記箱体から取り外されて裏返された前記蓋体の裏面に載せられた状態で前記線香を立てて保持し、前記線香を着火可能な姿勢とする香立付線香収容箱。
【請求項２】
前記香立部は、前記蓋体の裏面に着脱自在とされている請求項１に記載の香立付線香収容箱。
【請求項３】
前記香立部は、マグネットからなるか又はマグネットを有しており、
前記蓋体の裏面の少なくとも一部が磁性体からなり、前記マグネットが前記磁性体に吸着することにより前記香立部が前記蓋体の裏面に保持される請求項１又は請求項２に記載の香立付線香収容箱。
【請求項４】
前記香立部は、円板状のマグネットと、当該マグネット上に貼り付けられた保持部材とを備え、当該保持部材は、不燃性又は難燃性の材料からなり、当該保持部材に前記孔が、前記線香の外径と同じ又は僅かに大きな内径を有するものとして形成されている請求項３に記載の香立付線香収容箱。
【請求項５】
前記蓋体は、不燃性又は難燃性の材料からなる請求項１乃至請求項４のいずれかに記載の香立付線香収容箱。
【請求項６】
前記蓋体の周縁に設けられた凸部が前記箱体の前記上側開口部の縁の内側に接して、前記蓋体が前記箱体から取り外されて裏返された状態で該箱体の前記上側開口部に嵌め入れられ、前記蓋体の表面であって前記凸部よりも外側となる外縁部が前記箱体の前記上側開口部の上端に載置された状態で、前記蓋体が前記箱体に重ねられる請求項１乃至請求項５のいずれかに記載の香立付線香収容箱。
【請求項７】
前記香立部には、複数の前記線香の下端を差し込むそれぞれの小孔が前記孔として形成されている請求項１乃至請求項６のいずれかに記載の香立付線香収容箱。
【請求項８】
前記香立部は、前記小孔として、１本の前記線香を差し込み可能な大きさの径のものと、複数本の前記線香をまとめて差しみ可能な大きさの径のものとを有する請求項７に記載の香立付線香収容箱。
【請求項９】
前記香立部は、前記蓋体の裏面に直接又は接着材料を介して接着されており、前記線香の外径と同じか僅かに大きな内径を有する小孔が前記孔として形成されている求項１に記載の香立付線香収容箱。
【請求項１０】
前記香立部は、前記蓋体の裏面に固定されている請求項１に記載の香立付線香収容箱。
【考案の詳細な説明】
【技術分野】
【０００１】
本考案は、線香を持ち運び可能に収容する線香収容箱に関する。
【背景技術】
【０００２】
従来、線香を持ち運び可能に収容する収容箱として、様々なものが提供されている。例えば、特許文献１には、線香をつまみ易い状態で収容するケースが開示されている。また、特許文献２には、線香だけではなく、ろうそく、マッチ又はライター、ろうそく立てなどを分けて収納する収納容器が開示されている。また、特許文献３乃至特許文献６には、線香を立てて保持する香立付の香皿が開示されている。
【先行技術文献】
【特許文献】
【０００３】
【特許文献１】実用新案登録第３１４５１８２号公報
【特許文献２】実用新案登録第３０５７４０５号公報
【特許文献３】特開２００３−２３５７１５号公報
【特許文献４】特許第３４２１７３３号公報
【特許文献５】実用新案登録第３１４８７６２号公報
【特許文献６】実用新案登録第３１９６５４３号公報
【考案の概要】
【考案が解決しようとする課題】
【０００４】
しかしながら、従来の線香収容箱は、上記特許文献１，２に示されるように、線香を持ち運び可能に収容する機能を有するだけで、線香立及び香皿としての機能を有していない。また、特許文献３乃至６には、線香を立てて保持する香立付の香皿が開示されているが、線香を持ち運び可能に収容する機能を有していない。
【０００５】
そこで、本考案は、線香を持ち運び可能に収容すると同時に、収容されている線香の線香立及び香皿としても機能する香立付線香収容箱を提供することを目的とする。
【課題を解決するための手段】
【０００６】
本考案の一局面にかかる香立付線香収容箱は、線香を収容する箱体と、前記箱体の上側開口部に着脱自在に取り付けられる蓋体と、前記線香と共に前記箱体に収容される香立部と、を備え、前記香立部は、前記線香の下端が差し込まれる孔が形成され、前記箱体から取り外されて裏返された前記蓋体の裏面に載せられた状態で前記線香を立てて保持し、前記線香を着火可能な姿勢とするものである。
【０００７】
例えば、前記香立部は、前記蓋体の裏面に着脱自在に載せられる。好ましくは、前記香立部は、マグネットからなるか又はマグネットを有しており、前記蓋体の裏面の少なくとも一部が磁性体からなり、前記マグネットが前記磁性体に吸着することにより前記香立部が前記蓋体の裏面に保持される。前記蓋体は、磁性体の金属からなるものでもよい。
【０００８】
また、前記香立部は、前記蓋体の裏面に固定されてもよい。
【０００９】
更に、前記香立部には、前記線香の下端が差し込まれる孔が形成されていてもよい。
【００１０】
また、前記蓋体は、不燃性の材料からなるものでもよい。
【００１１】
更に、前記蓋体の周縁に設けられた凸部が前記箱体の上側開口部の縁に接して、前記蓋体が前記箱体から取り外されて裏返された状態で該箱体の上側開口部に嵌め入れられ、前記蓋体が前記箱体に重ねられるようにしてもよい。
【考案の効果】
【００１２】
本考案に係る香立付線香収容箱は、線香を持ち運び可能に収容すると同時に、収容されている線香の線香立及び香皿としても使用することができる。
【図面の簡単な説明】
【００１３】
【図１】本考案の一実施形態にかかる香立付線香収容箱の外観を示す斜視図である。
【図２】本実施形態の香立付線香収容箱を示す側面図である。
【図３】本実施形態の香立付線香収容箱の蓋体を取り外して、箱体の内部を示す平面図である。
【図４】取り外された蓋体を裏返して示す斜視図である。
【図５】（Ａ）及び（Ｂ）は、裏返された蓋体の嵌合部を箱体の上側開口部に嵌め入れた状態を示す斜視図及び側面図である。
【図６】線香の下端を香立部の小孔に差し込んで、線香を立てた状態を示す斜視図である。
【図７】本考案の一変形例を拡大して示す断面図である。
【図８】本考案の他の変形例を拡大して示す断面図である。
【考案を実施するための形態】
【００１４】
以下、本考案の一実施形態について図面を参照して説明する。
【００１５】
図１は、本考案の一実施形態にかかる香立付線香収容箱の外観を示す斜視図である。また、図２は、本実施形態の香立付線香収容箱を示す側面図である。
【００１６】
図１及び図２に示すように本実施形態の香立付線香収容箱１は、線香を収容する箱体２と、箱体２の上側開口部に着脱自在に取り付けられる蓋体３と、線香と共に箱体２に収容される香立部４とを備えている。
【００１７】
箱体２及び蓋体３は、磁性体の金属板（例えば、メッキ鋼板）を切断及び折り曲げ加工したものであり、例えば、上方から平面視すると八角形の形状を有している。香立部４は、例えばマグネットからなり、その磁力により磁性体の蓋体３の裏面に吸着している。
【００１８】
図３は、香立付線香収容箱１の蓋体３を取り外して、箱体２の内部を示す平面図である。また、図４は、取り外された蓋体３を裏返して示す斜視図である。
【００１９】
図３に示すように箱体２の内側には、厚紙からなる仕切り１２により線香１１の束がガタつきなく保持されて収容されている。また、図４に示すように裏返された蓋体３の裏面には、マグネットからなる香立部４が吸着している。
【００２０】
図２に示すように蓋体３の周縁には、図２で上方に突出する段差が設けられており、この段差の上側部分が嵌合部３Ａとなり、下側部分が枠部３Ｂとなっている。蓋体３の枠部３Ｂの内周サイズは、箱体２の上側開口部２１０の外周サイズと同じか、或いは当該外周サイズよりも僅かに大きくされている。蓋体３は、蓋体３の枠部３Ｂの内側に箱体２の上側開口部２１０が嵌め入れられる。これにより、箱体２の上側開口部２１０が閉じられる。
【００２１】
また、蓋体３の嵌合部３Ａの外周サイズは、箱体２の上側開口部２１０の内周サイズよりも僅かに小さくされている。このため、図５（Ａ）、（Ｂ）に示すように裏返された蓋体３の嵌合部３Ａを、箱体２の上側開口部２１０に嵌め入れ可能とされている。このとき、蓋体３の周縁の上記段差（実用新案登録請求の範囲における凸部に対応する）が箱体２の上側開口部２１０の縁２Ａに接して、蓋体３が箱体２に重ねられる。このとき、蓋体３の表面であって当該段差の配設部分よりも外側となる外縁部３１が箱体２の上側開口部２１０の上端に載置された状態となる。これにより、裏返された蓋体３が箱体２に重ねられて保持される。
【００２２】
図４及び図５（Ａ）から明らかなように香立部４は、円筒状のものであって、その中央に小孔４Ａが形成されている。この小孔４Ａの内径は、線香１１の外径と同じか、或いは外径よりも僅かに大きく形成されている。これにより、図６に示すように線香１１の下端を香立部４の小孔４Ａに差し込んで、線香１１を立てることが可能とされている。また、図４に示すように裏返された蓋体３を単体で置いた場合及び図５に示すように裏返された蓋体３を箱体２に重ねて置いた場合のいずれでも、香立部４により線香１１を立てることができる。
【００２３】
こうして香立部４により線香１１を立てた状態で、線香１１の先端に火を着けて、線香１１を燃えさせる。線香１１が燃えて、線香１１の灰が落下すると、この灰が蓋体３の裏面で受けられる。すなわち、香立部４は、線香１１を着火可能な姿勢で保持する。従って、蓋体３は、香立部４を保持するだけではなく、香皿としても用いられる。
【００２４】
更に、線香１１が燃えた後では、蓋体３を上記状態からひっくり返して、蓋体３の裏面上にたまった灰を捨てる。このとき、香立部４は、その磁力により蓋体３の裏面に吸着しているので、落下することはない。
【００２５】
このように本実施形態の香立付線香収容箱１では、線香１１の束を当該香立付線香収容箱１の内側にガタつきなく保持して収容しているので、線香１１の持ち運びの途中で、線香１１がばたついて折れることがない。また、線香１１の外径と同じか僅かに大きな内径を有する小孔４Ａを香立部４に形成して、この香立部４を蓋体３の裏面に吸着させているので、蓋体３を裏返して、線香１１の下端を香立部４の小孔４Ａに差し込んで、線香１１を立てて保持することができる。同時に、蓋体３を香皿として用いることができる。従って、香立付線香収容箱１は、線香１１を持ち運び可能に収容すると同時に、収容されている線香１１の線香立及び香皿としても使用することができる。しかも、香立付線香収容箱１は、線香１１の束を収容した香立付線香収容箱１、線香１１を立てて保持する香立部４、及び香皿となる蓋体３を一体化してコンパクトにまとめているので、携帯に便利であり、贈り物としても好適である。
【００２６】
尚、上記実施形態では、マグネットからなる香立部４を用いているが、図７に示すような香立部２１を用いても構わない。この香立部２１は、円板状のマグネット２２と、マグネット２２上に貼り付けられた保持部材２３とを備える。保持部材２３は、不燃性又は難燃性の材料、例えば不燃性又は難燃性の合成樹脂、非磁性体の金属、セラミックなどからなり、この保持部材２３に線香１１の外径と同じか僅かに大きな内径を有する小孔２３Ａを形成している。この香立部２１のマグネット２２を蓋体３の裏面に吸着させ、線香１１の下端を保持部材２３の小孔２３Ａに差し込む。
【００２７】
また、蓋体３として、磁性体の金属板からなるものを用いているが、蓋体３を非磁性体の材料で形成し、蓋体３の裏面の一部に磁性体からなる薄板材を貼り付けて、この磁性体からなる薄板材に香立部４（又は２１）を吸着させても構わない。蓋体３を香皿として用いるため、蓋体３を形成する非磁性体の材料としては、不燃性又は難燃性のものが好ましい。
【００２８】
更に、図８に示すような香立部２４を用いてもよい。この香立部２４は、蓋体３の裏面に直接又は両面接着テープを介して接着されており、線香１１の外径と同じか僅かに大きな内径を有する小孔２４Ａが形成されている。この場合は、蓋体３の全体又は一部を磁性体で形成する必要がない。また、蓋体３及び香立部２４を、不燃性又は難燃性の材料で形成するのが好ましい。
【００２９】
また、香立部を蓋体３の裏面に着脱自在に置くだけでもよい。この場合は、香立部の小孔に差し込まれた線香１１が倒れることのないように、香立部として十分な重さのものを適用して、香立部が安定的に載置されるようにする。また、香立部と蓋体３を紐などで結び付けて、香立部の落下や紛失を防止するのが好ましい。
【００３０】
更に、香立部には、複数の線香１１の下端を差し込むそれぞれの小孔を形成してもよい。この場合は、各小孔の径として、１本の線香１１を差し込むのに適した径、２〜３本の線香１１をまとめて差し込むのに適した径など、互いに異なる幾つかの径を設定してもよい。
【００３１】
尚、図１乃至図８を用いて説明した上記実施形態及び変形例の構成は、本考案の一例に過ぎず、本考案をそれらの構成に限定する趣旨ではない。
【符号の説明】
【００３２】
１      香立付線香収容箱
２      箱体
３      蓋体
３１    外縁部
３Ａ    嵌合部
３Ｂ    枠部
４      香立部
４Ａ    小孔
１１    線香
２１    香立部
２１０  上側開口部
２２    マグネット
２３    保持部材
２４    香立部
【図１】
0003209898.tif 000003
【図２】
0003209898.tif 000004
【図３】
0003209898.tif 000005
【図４】
0003209898.tif 000006
【図５】
0003209898.tif 000007
【図６】
0003209898.tif 000008
【図７】
0003209898.tif 000009
【図８】
0003209898.tif 000010